(57)【特許請求の範囲】
【請求項１】
揮発性液体または１つもしくはそれ以上の揮発性成分を含有する液体用の容器を挿入することができるハウシングと、該容器の開口部には前記ハウジング内へ延在する芯が嵌合され、該芯とともに該容器が前記ハウジング内に挿入されているとき、該芯を全体的に又は部分的に覆うことができる可動式覆いキャップと、前記覆いキャップの位置を設定するための調節手段と、を備え、前記調節手段は、前記覆いキャップ上に取付けられたギヤラック及び該ギヤラックと係合するギヤにより形成され、調節部材に接合され、前記調節部材は前記ハウジングを閉鎖する回転ノブにより形成され、該回転ノブには換気開口部が備えられていることを特徴とする自動車用の空気清浄器。
【請求項２】
該芯とともに該容器が前記ハウジング内に挿入されたとき、前記覆いキャップは該芯上を上下に移動可能であることを特徴とする請求項１記載の空気清浄器。
【請求項３】
前記ハウジングには換気開口部が備えられており、該芯がハウジング内に延在するように配置されているときは、該換気開口部を介して、空気が完全に又は部分的に解放された芯に沿って流れることができることを特徴とする請求項１又は請求項２記載の空気清浄器。
【請求項４】
さらに該換気開口部が該回転ノブに対向して配置された前記ハウジングの壁に備えられていることを特徴とする請求項１記載の空気清浄器。
【請求項５】
前記覆いキャップは該回転ノブとそれに対向する前記ハウジングの壁との間で上下に可動であることを特徴とする請求項１記載の空気清浄器。
【請求項６】
クリップ要素が、ストリップ状要素上の自動車のダッシュボードのファンのガードの、前記空気清浄器を固定するためにあることを特徴とする請求項１から５のいずれかに記載の空気清浄器。
【請求項７】
前記空気清浄器は該車両の該ファンに接合され、前記空気清浄器を通る気流は前記覆いキャップの位置を設定することにより、及び該車両の該ファンを迅速又はゆっくりと切換えること及び／又は該車両内の該気流の温度を高く又は低く切換えることにより調節可能であることを特徴とする請求項６記載の空気清浄器。
【請求項８】
該クリップ要素は前記ハウジングから外側に突出した４つの締付け要素を有し、垂直又は水平のストリップ状要素のいずれかの上へ前記空気清浄器を固定できるように、互いに少なくともほぼ垂直である２つの平面に従って、該締付け要素は互いから分離されていることを特徴とする請求項６又は７記載の空気清浄器。
【請求項９】
該締付け要素は、少なくともその端で、プラスティック製の被覆層を備えた金属ストリップにより形成されることを特徴とする請求項８記載の空気清浄器。
【請求項１０】
前記ハウジングは、挿入及び除去が可能な揮発性液体または１つもしくはそれ以上の揮発性成分を有する液体のための容器を維持するための保持要素を含むことを特徴とする請求項１から９のいずれかに記載の空気清浄器。
【請求項１１】
揮発性液体又は１つもしくはそれ以上の揮発性成分を有する液体のための容器であって、その開口部内へ芯が挿入可能であり、請求項１から１０のいずれかに記載の前記空気清浄器に適合する形状を有する容器。
【請求項１２】
請求項１１記載の前記容器を含む請求項１から１０のいずれかに記載の空気清浄器。
【発明の詳細な説明】
【０００１】
【発明の属する技術分野】
本発明は、車両用、特に自動車用の空気清浄器（air-freshener）に関する。
【０００２】
【従来の技術】
車両には気持ちのよい空気を供給する必要がある。そのために、自動車の、例えばダッシュボードのファンのガードに設置することができる空気清浄器が市販されている。
【０００３】
【発明が解決しようとする課題】
本発明の目的は、有効に且つ確実に作動し、長期間持続する空気清浄器を提供することである。
【０００４】
【課題を解決するための手段】
課題を解決するために、本発明によれば、揮発性液体又は１つもしくはそれ以上の揮発性成分を含有する液体用の容器を挿入することができるハウジング（housing)であって、該容器の開口部にはハウジング内へ延在する芯（ウイック（wick））が取付けられるハウジングと、ウイックとともに容器がハウジング内に挿入されているとき、ウイックを全体的に又は部分的に覆うことができる可動式覆いキャップと、覆いキャップの位置をセッティングするための調節手段と、を備えた車両用、特に自動車用の空気清浄器が提供される。
【０００５】
【作用】
したがって、空気清浄器においては、揮発性液体又は１つもしくはそれ以上の揮発性成分を有する液体を含有する容器、特にフラスコが空のとき又は充満しているときはいつでも、容器を空気清浄器内に挿入することができ、その結果として、空気清浄器それ自体は特に長期間にわたって持続できることになる。この空気清浄器は、覆いキャップがウイックを完全に覆っているときは作動しない。覆いキャップをウイックから完全に又は部分的に取外すと、ウイックにより容器から吸収された液体は容易に蒸発することができる。このため、空気清浄器の有効にして確実な操作が得られる。
【０００６】
好ましい実施例において、覆いキャップは、ウイックとともに容器がハウジング内に挿入されているときは、ウイック上を上下に移動することができる。
ウイック内に吸収された液体の蒸発を促進する気流を可能にするために、ハウジングには換気開口部が備えられており、これを介して、ハウジング内に延在するウイックとともに容器が嵌合されているときに、空気が完全に又は部分的に解放されたウイックに沿って流れることが可能である。
【０００７】
好ましい実施例において、覆いキャップを位置決めするための調節手段は、覆いキャップ上に取付けられたギヤラック及びそれと係合したギヤにより形成され、該ギヤは調節部材に接合されている。特に、この調節部材はハウジングを閉鎖し、換気開口部を備えた回転ノブ（turning knob）により形成されている。特に、回転ノブにより、空気清浄器上にほとんど引抜き力が働かないため、空気清浄器は、自動車に配置されているとき、自動車の運転者が運転時に空気清浄器を再び固定したいと思う危険な状態を生じるような、その取付け場所からおそらく引抜くことができる。
【０００８】
空気清浄器により最適な気流をために、回転ノブに対向して配置されたハウジングの壁にさらに換気開口部が備えられている。特に、覆いキャップは回転ノブとハウジングの対向壁との間で上下に可動である。その結果として、ハウジング内に延在するウイックとともに容器が挿入され、ウイック周囲の覆いが完全に又は部分的に取外されていると、ウイックに沿った最適な気流が可能である。
【０００９】
空気清浄器はストリップ状要素上の、特に自動車のダッシュボードのファンガードの空気清浄器を固定することを可能にするクリップ要素を含む。これにより、空気清浄器のためにファンからの気流を利用することが可能となる。これは、空気清浄器が回転ノブにより覆いキャップを位置決めすることで調節可能であるだけではなく、ファンガードを通じて気流を調節すること、すなわち空気清浄器が迅速又は緩徐に接合される車両のファンを切換えること、及び／又は車両内の気流の温度を高く又は低く切換えることによっても調節可能である。特に、空気清浄器はファンが切換えられた後にのみ適切に作動することが指摘される。
【００１０】
車両内の空気清浄器を固定するためのクリップ要素はハウジングから外側に突出した４つの弾性締付け要素であって、該締付け要素は互いに対して少なくともほぼ垂直である２つの平面によって互いから分離され、垂直又は水平のストリップ状要素のいずれかで空気清浄器の固定を可能にすることが好ましい。締付け要素の弾性作用により、空気清浄器は容易に、しかも十分に確実に、例えば自動車ファンガードに固定することができる。特に弾性要素が金属ストリップで形成されているとすぐれた締付け作用が得られ、そのような場合に、損傷を防ぐために、これらのストリップはプラスティック製の被覆層を備えた少なくともそれぞれの端を有する。
【００１１】
空気清浄器はいつでも新しい容器を供給することができるため、ハウジングは揮発性液体又は１つもしくはそれ以上の揮発性成分を有する液体のための挿入と除去が可能な容器を固定して保持又は締付けるための保持要素を含むと好ましい。
本発明は空気清浄器に関するだけではなく、上述した通り、揮発性液体又は１つもしくはそれ以上の揮発性成分を有する液体のための容器であって、その開口部にウイックを配置することができ、空気清浄器に適合した形状を有する容器にも関する。結局、デザインと寸法に関する限り、容器及びウイックは空気清浄器の具体的な構造に適応されるべきである。本発明はさらに、上述した通り、それに適応した容器を含む空気清浄器に関する。
【００１２】
【実施例】
以下、添付した図面を参考にして本発明を説明する。
図１〜３に示した空気清浄器は、その中に配置された揮発性液体又は１つもしくはそれ以上の揮発性成分を有する液体のための容器を有するハウジング１を含む。容器２はウイック５のためのシーリングスリーブ４が備えられているネック３を有するガラスフラスコの形状を有する。このウイックにより、フラスコ内の液体は吸収され、ウイック５の上部、すなわちフラスコ２のネック３から突出した部分から、その中にある吸収された液体又は揮発性成分が蒸発することができる。背面では、ハウジング１は環状部６と、その下面に、リップの形状の保持要素７を有する。背面では、フラスコ２は、その下端に隣接して、突出エッジ８を有し、フラスコ２がハウジング１に配置されていると、リップの後方に突出するため、フラスコ２はハウジング１内に挿入された位置に残る。環状部６を後方に曲げることにより、フラスコ２をハウジング１から引抜くことができる。ハウジング１には、スリーブ状ボディの形状の覆いキャップ９が配置されている。このスリーブ状ボディ９はその上面で閉鎖されるが、下面では開放しており、ハウジング１内に突出するウイック部上に容易に適合するような寸法を有する。スリーブ状ボディの、図３に示した上の位置では、ウイックの上部は完全に覆われておらず、スリーブ状ボディ９が最下部内に移動すると、ウイック５は完全に覆われ、この位置で、スリーブ状ボディ９の下エッジ１０はシーリングスリーブ４の最上面に接合する。スリーブ状ボディ８をハウジング内部のその縦軸周囲でおそらく回転することを防ぐために、突出リッジがスリーブ状ボディの全長にわたって備えられており、リッジはハウジングの裏壁の対応する溝１１に適合する。さらに、スリーブ状ボディ９は、それぞれハウジングの裏壁に備えられた、ストリップ１４及び１５を前方に突出することを止める２つの突出ストリップ１２及び１３を備えた端となる。前面では、ギヤラック１６がスリーブ状ボディ９の縦方向に備えられ、それに平行して支持エッジが備えられている。このギヤラックはハウジング１の前面の部分を形成する回転ノブ１９の内部に固定して備えられたギヤ１７と協動する。回転ノブ１９を回転させることにより、スリーブ状ボディ９はハウジング１内を上下に移動し、ウイック５は完全に覆われ、もしくは完全に又は部分的に解放される。回転ノブ１９は“Ｃ”（閉鎖）及び“Ｏ”（開放）としるしがつけられ、スリーブ状ボディ９が完全にウイック５の下に滑動したこと、又は、別々に、完全に上に移動したことを示す。
【００１３】
ハウジング１には、その前面及び背面に換気開口部が備えられている。回転ノブ１９には、円のセグメントの形状を有する換気開口部２０が配置され、ハウジングの裏壁には、長方形の換気開口部２１、及び幾つか別の開口部２２が備えられている。ハウジングの裏壁にある長方形の換気開口部２１は、ハウジング内に延在するウイック部分の背後に直接備えられ、ウイック５又はスリーブ状ボディ９に沿ったこれらの長方形の開口部２１及び回転ノブの開口部２０を通じて気流を可能とする。もちろん、これはこのウイックが完全に又は部分的にスリーブ状ボディ９により解放された場合、すなわちスリーブ状ボディが完全に又は部分的に回転ノブ１９により上方へ転位した場合は、ウイック５からの液体又は液体成分の蒸発のみに関係することになる。このような気流は、特に空気清浄器がファン、例えば自動車のダッシュボードに通常配置されているファンのガードストリップ又はストリップ状要素に配置されるときに得られる。本発明はこのようなストリップ状要素に空気清浄器を固定するためのクリップ要素２３を提供する。クリップ要素２３はハウジング１から外側に突出した４つの締付け要素２４を含み、該締付け要素は互いに対して少なくともほぼ垂直である２つの平面によって互いから分離され、垂直又は水平のストリップ状要素のいずれかで空気清浄器の固定を可能にする。締付け要素２４は、その端で、プラスティック製の被覆層２５を備えた金属ストリップにより形成される。
【００１４】
本発明は図面を参考して本明細書中で説明した実例としての実施例に限定されるものではなく、もちろん以下の請求の範囲の保護範囲内にある限り、そのあらゆる種類の変形を含む。特に、あらゆる種類の別の調節手段及び操作ノブを使用できることが指摘される。例えば、ハウジング１の前壁には、上下に滑動可能なノブを備えることが可能であり、該ノブによりスリーブ状ボディ９を移動することができる。スリーブ状ボディ９の外面には結合ねじ山を有するスリーブに適合したねじ山を備えることも可能であり、該スリーブはハウジングから突出し、手動で回転することができる。また、覆いキャップは、図６に示した通り、それぞれと独立して回転可能であり、換気グリッド２８を備えた２つのスリーブ状ボディ２６及び２７により形成することができる。図６において、スリーブ状ボディ２６はハウジング内に固定され、容器２に接合されているが、スリーブ状ボディ２６は、このボディの回転位置によって、換気グリッドを完全に又は部分的に開放又は閉鎖するために回転可能である。さらに、スリーブ状ボディ２７は最上面でハウジングから突出し、手で容易に操作することができる。調節手段の種類及びハウジング１のデザインによって、ハウジングの前壁、側壁又は最上面には回転ノブをさらに備えることができる。また、ハウジング１の前壁及び裏壁の開口部が所望の形状を有することができる。フラスコは、ハウジング１内に配置し、固定することができる限り、同様に適当な形状を与えることができる。
【図面の簡単な説明】
【図１】 内部挿入された容器を備える空気清浄器の斜視正面図である。
【図２】 容器を備える図１の空気清浄器の斜視背面を図である。
【図３】 図１及び図２の空気清浄器の縦断面を示す図である。
【図４】 完全に覆われたウイックとともに空気清浄器の覆いキャップをセッティングするための調節手段を示す図である。
【図５】 完全に上げられた覆いキャップと、それにより全体に自由となったウイックとともに図４と同じ調節手段を示す図である。
【図６】 覆いキャップの位置をセッティングするための別の実施例を示す図である。
【符号の説明】
１  ハウジング
２  容器
５  芯（ウィック）
９  覆いキャップ
【図１】
0003996316.tif 000002
【図２】
0003996316.tif 000003
【図３】
0003996316.tif 000004
【図４】
0003996316.tif 000005
【図５】
0003996316.tif 000006
【図６】
0003996316.tif 000007